(57)【要約】  本発明は、ウィッキング効果を回避するためにシールド要素を備えた電気コネクタを含むグレージングパネルに関する。より具体的には、本発明は、導電性構造、例えば加熱可能なコーティング又はアンテナに接続された導電性コネクタを含む車両グレージングに関する。【選択図】図１
2021505465.tif 000002
【特許請求の範囲】
【請求項１】
導電性構造（３）を有する基板（２）と；
はんだ材料（５）によって前記導電性構造（３）にはんだ付けされたシールド要素（７）と；
前記シールド要素に固定された電気圧着コネクタ（４）と；
前記電気圧着コネクタによって圧着された電気ケーブル（６）と
を少なくとも備えるグレージングパネル（１）であって、
前記シールド要素（７）が、前記はんだ材料と前記ケーブルとの間のウィッキング効果を回避するために、少なくとも前記電気圧着コネクタからの前記ケーブルの出力の領域において前記電気圧着コネクタ（４）から突出することを特徴とするグレージングパネル（１）。
【請求項２】
前記電気圧着コネクタ（４）が前記シールド要素（７）にはんだ付けされることを特徴とする請求項１に記載のグレージングパネル（１）。
【請求項３】
前記電気圧着コネクタ（４）が前記シールド要素（７）に溶接されることを特徴とする請求項１に記載のグレージングパネル（１）。
【請求項４】
前記電気圧着コネクタが少なくとも１つのリベットによって前記シールド要素に固定されることを特徴とする請求項１に記載のグレージングパネル（１）。
【請求項５】
前記電気圧着コネクタ（４）及び前記シールド要素（７）が同じ材料から作られることを特徴とする請求項３に記載のグレージングパネル（１）。
【請求項６】
前記シールド要素が楕円形を有することを特徴とする請求項１〜５のいずれか一項に記載のグレージングパネル（１）。
【請求項７】
前記シールド要素が円形を有することを特徴とする請求項１〜５のいずれか一項に記載のグレージングパネル（１）。
【請求項８】
前記シールド要素の最長寸法が前記電気圧着コネクタの最長寸法よりも少なくとも１０％大きいことを特徴とする請求項１〜７のいずれか一項に記載のグレージングパネル（１）。
【請求項９】
前記シールド要素が、少なくとも前記ケーブルの直径について、少なくとも前記電気圧着コネクタからの前記ケーブルの出力の領域において前記電気圧着コネクタから突出することを特徴とする請求項１〜８のいずれか一項に記載のグレージングパネル（１）。
【請求項１０】
前記基板がガラス基板であることを特徴とする請求項１〜９のいずれか一項に記載のグレージングパネル（１）。
【請求項１１】
はんだ材料と電気圧着コネクタによって圧着されたケーブルとの間に配置された、ウィッキング効果を回避するためのシールド要素の使用であって、前記シールド要素が基板の導電性構造にはんだ付けされる使用において、前記シールド要素が前記ケーブルのウィッキング効果を回避するために少なくとも前記電気圧着コネクタからの前記ケーブルの出力の領域において前記電気圧着コネクタから突出することを特徴とする使用。
【請求項１２】
はんだ材料と、シールド要素を含む電気圧着コネクタによって圧着されたケーブルとの間に配置された、ウィッキング効果を回避するためのシールド要素であって、前記シールド要素が基板の導電性構造にはんだ付けされるシールド要素において、前記シールド要素が前記ケーブルのウィッキング効果を回避するために少なくとも前記電気圧着コネクタからの前記ケーブルの出力の領域において前記電気圧着コネクタから突出することを特徴とするシールド要素。
【発明の詳細な説明】
【技術分野】
【０００１】
本発明は、電気コネクタを含むグレージングパネルに関する。より具体的には、本発明は、導電性構造、例えば加熱可能なコーティング又はアンテナに接続された導電性コネクタを備える車両グレージングに関する。
【背景技術】
【０００２】
今日では、ますます多くのグレージングパネルが、照明、プライバシー、ビデオ、サウンド、加熱機能、アンテナ及びはるかにより多くの他の機能などの機能的アセンブリになっている。
【０００３】
これらの機能要素は、導電性構造としてグレージングパネル上に配置される。このようにして、動作するため、通信するため、電力の供給を受けるためなど、これらの導電性構造は、導電性構造にはんだ付けされた電気圧着コネクタで圧着されたケーブルを介してグレージングパネルの外側に連結する必要がある。
【０００４】
ケーブルは通常、プラスチックフィルムで囲まれた金属から作られる。正しくそして効率的に圧着するために、ケーブルのプラスチックフィルムは、圧着領域でのみ除去される。プラスチックフィルムにより、ケーブルを保護し、絶縁することができる。金属部分は、少なくとも１つの金属繊維から作られる。ケーブルを通過する電流及びケーブルの品質に応じて、金属部分は複数の繊維から作られる。この複数の繊維は撚ることができる。ケーブルのプラスチック部分は繊維を一緒に維持することを可能にする。
【０００５】
電気圧着コネクタは、少なくともケーブルを圧着できる要素である。電気圧着コネクタは、開放又は閉鎖型の圧着として実践することができる。開放型圧着の場合、電気圧着コネクタは、翼が予め曲げられているか曲げられていない小さなプレートとして提供される。これらの翼は、圧着爪を介してケーブルの周りで折り曲げられる、又は折られる。閉鎖型圧着の場合、電気圧着コネクタはチューブ又はスリーブとして構成される。電気圧着コネクタは、予め導入された内部ケーブルの周囲に圧着される。これら２つのケースでは、電気圧着コネクタはケーブルを確保するためにケーブルの周囲で変形される。
【０００６】
導電性構造は、基板のパネルの一部のみに又は全面に、マグネトロンスパッタリングなどのコーティング方法によって、印刷によって、接着又は導電性構造をグレージングパネルに配置するのに適切な任意の他の方法によって、基板上に配置することができる。導電性構造は、ＴＶ、ＤＴＶ、ＦＭ、ＡＭなどのアンテナであり得、例えば、基板上のワイヤ又はプレートとして設計される。導電性構造は、導電層及び絶縁層を備えたコーティング層のスタック又はＡｇ、Ｃｕ、又は導電性であり、基板上に印刷、接着などが可能な任意の他の適切な金属材料又は混合物である。
【０００７】
電気圧着コネクタを導電性構造にはんだ付けするために、特定の量のはんだ材料が必要である。はんだ材料の量が十分でない場合、電気圧着コネクタはしっかり固定されず、取り外される可能性がある。正しい量を使用した場合でも、導電性構造への電気圧着コネクタのはんだ付け中に、はんだ材料は、ウィッキング効果とも呼ばれる毛管作用によって、ケーブルを上昇していく可能性がある。この効果により、ケーブルは導電性構造に直接はんだ付けされる。グレージングパネルを取り扱う場合、はんだ付けステップの後、オペレータはケーブルをグレージングパネル上で折り曲げて、ケーブルとシステム全体に損傷を与えることなくこのパネルを取り扱うことができるようにする必要がある。
【０００８】
ケーブルの折り曲げステップの間、オペレータはケーブルを操作する。この時、ケーブルが導電性構造に直接はんだ付けされると、導電性構造と基板に応力が加わり、破損、損傷、チップの除去などの危険性がある。ケーブルのプラスチック部分又はケーブル自体も、はんだ材料とはんだ付けに加えられた熱によって損傷する可能性がある。
【０００９】
はんだ材料は任意の既知のはんだ材料であり、使用済み自動車に関する指令２０００／５３／ＥＣに準拠する無鉛はんだ材料である可能性がある。はんだ付けの方法は、基板に使用される材料及びはんだ付けされる部分に依存して、このはんだ付けのための任意の既知のはんだ付け方法であり得る。
【００１０】
以下の記載は、自動車用グレージングパネルに関するが、本発明は、電気的機能部品又は電気的機能層を提供し得る建築用グレージングのような他の分野に適用可能であり得ることが理解される。
【００１１】
本発明は、これらの問題を克服するための解決策を提供する。
【発明の概要】
【００１２】
本発明は、少なくとも導電性構造を有する基板；はんだ材料によって導電性構造にはんだ付けされたシールド要素；前記シールド要素に固定された電気圧着コネクタ、及び電気圧着コネクタで圧着された電気ケーブルを含む改良されたグレージングパネルに関する。本発明はまた、はんだ材料と、電気圧着コネクタで圧着されたケーブルとの間に含まれる、ウィッキング効果を回避するためのシールド要素の使用に関する。本発明はまた、はんだ材料と、シールド要素を含む電気圧着コネクタで圧着されたケーブルとの間に含まれる、ウィッキング効果を回避するためのシールド要素に関する。
【００１３】
本発明はまた、はんだ材料と、電気圧着コネクタで圧着されたケーブルとの間に配置される、ウィッキング効果を回避するためのシールド要素の使用に関し；前記シールド要素は、基板の導電性構造にはんだ付けされる。
【００１４】
本発明はまた、はんだ材料と、シールド要素を含む電気圧着コネクタで圧着されたケーブルとの間に配置される、ウィッキング効果を回避するためのシールド要素に関する。
【００１５】
シールド要素は、はんだ材料とケーブルとの間のウィッキング効果を回避するために、少なくとも前記電気圧着コネクタからの前記ケーブルの出力の領域において前記電気圧着コネクタから突出している。
【００１６】
基板は、その上で導電性構造を受けることができる任意の基板とすることができる。好ましくは、基板はガラス基板である。ガラス基板は処理可能である、すなわち、アニーリング、焼き戻しなどが可能である。
【００１７】
導電性構造は、基板の一方の表面の少なくとも一部に適用される。
【００１８】
導電性構造は、加熱可能な構造、アンテナ、又は電力を供給されるか、ケーブルと連結される必要がある任意の他の導電性構造であり得る。グレージングパネルは、１つより多くの導電性構造を含むことができる。
【００１９】
ケーブルの性質、すなわち断面は、受信電力を可能にする。電気圧着コネクタの寸法は、ケーブルの寸法に依存し得る。
【００２０】
導電性構造は、例えばコーティング層のためのスパッタリング、ＣＶＤ、ＰＥＣＶＤなどによって、又はアンテナ構造のための印刷によって堆積させることができる。材料は、ガラス表面上に堆積させることができる任意の導電性材料であることができる。例えば、銀、銅、又はアルミニウム印刷要素、金属コーティング構造、銀、銅、又はアルミニウム箔など。
【００２１】
電気圧着コネクタは、電気ケーブルを導電性構造に接続する要素である。電気圧着コネクタは、銅又は真ちゅう、アルミニウム、鋼及びステンレス鋼合金、鉄ニッケル合金、チタン又は任意の種類の導電性金属から作ることができる。ステンレス鋼、鋼、チタン又はＦｅＮｉ合金の場合。好ましくは、表面は、（ニッケル又は銅又は銀、又はそれらの組み合わせのような）はんだ付け可能な材料でメッキすることができる。
【００２２】
電気圧着コネクタは、シールド要素に直接固定されている。
【００２３】
本発明の一実施形態では、電気圧着コネクタは、シールド要素にはんだ付けされる。別の実施形態では、電気圧着コネクタは、シールド要素に溶接される。圧着コネクタは、シールド要素にスポット溶接される。別の実施形態では、電気圧着コネクタは、シールド要素に超音波溶接される。別の実施形態では、電気圧着コネクタは、少なくとも１つのリベットによってシールド要素に固定される。
【００２４】
別の実施形態では、ケーブルはシールド要素に直接固定される。その実施形態では、電気圧着コネクタは固定要素である。ケーブルは、シールド要素に溶接又ははんだ付けすることができる。したがって、この実施形態では、溶接又ははんだ材料は、電気圧着コネクタとして理解される。
【００２５】
電気圧着コネクタはまた、雄／雌コネクタ、又はケーブルをはんだ材料及びシールド要素で導電性構造に接続することができる任意の電気コネクタであり得ることが理解される。
【００２６】
ケーブルは通常、プラスチック保護層を備えた金属コアである。金属コアは、単一のワイヤ又は複数のワイヤとすることができ、通常は銅又はアルミニウムから作られる。
【００２７】
シールド要素は、電気圧着コネクタと導電性構造との間に配置される。シールド要素は、導電性構造上のはんだ材料によってはんだ付けされる。シールド要素は、はんだ材料が電気圧着コネクタ及び／又は電気ケーブルを持ち上げることを防止する。シールド要素は、銅又は真ちゅう、アルミニウム、鋼及びステンレス鋼合金、鉄ニッケル合金、チタン又は任意の種類の導電性金属から作ることができる。ステンレス鋼、鋼、チタン又はＦｅＮｉ合金の場合。好ましくは、表面は、（ニッケル又は銅又は銀、又はそれらの組み合わせのような）はんだ付け可能な材料でメッキすることができる。
【００２８】
本発明の別の実施形態では、シールド要素及び電気圧着コネクタは、同じ材料から作られる。シールド要素と電気圧着コネクタは、操作を容易にする、コストを削減するなどのために、単一の要素で作ることができる。
【００２９】
はんだ材料は、シールド要素を導電性構造にはんだ付けする。はんだ材料は、法律及び／又はシールド要素と導電性構造との間に必要な熱膨張に応じて、鉛合金又は鉛フリー合金から作ることができる。別の実施形態では、はんだ材料は、導電性接着剤又はグルーで置き換えることができる。
【００３０】
本発明によれば、シールド要素は、少なくとも電気圧着コネクタの最大寸法と同じ大きさである。シールド要素の寸法は、導電性構造が配置されている前記基板の表面にわずかに平行な表面で測定される。好ましくは、シールド要素は、電気圧着コネクタの最大寸法よりも大きく、電気圧着コネクタに固定されたケーブルを、シールド要素と導電性構造との間のはんだ材料から保護する。
【００３１】
シールド要素の形状は、導電性構造が配置されている前記基板の表面にわずかに平行な表面の形状である。
【００３２】
より好ましくは、製造上の理由から、シールド要素の形状は楕円形である。楕円形の場合、少なくとも電気圧着コネクタの最大寸法よりも大きくなければならない寸法は、楕円形の最長直径である。最小の楕円形の場合、ケーブルを保護するために、電気圧着コネクタを最長直径の方向に固定しなければならない。
【００３３】
特定の実施形態では、形状は円形である。この円形の形状は特に製造が簡単で、電気圧着コネクタをあらゆる方向に固定することを可能にする。
【００３４】
別の実施形態では、シールド要素は長方形の形状を有する。好ましくは、長方形の形状は、多角形として角張った縁を有する。好ましくは、導電性構造へのシールド要素のはんだ付けを容易にするために、長方形の形状は丸みを帯びた縁を有する。
【００３５】
一実施形態では、シールド要素は、少なくともケーブルの直径について、少なくとも電気圧着コネクタからのケーブルの出力の領域において前記電気圧着コネクタから突出する。
【００３６】
次に、本発明を、限定ではなく例示として提供される図面及び例示的な実施形態を参照してより具体的に記載する。図面は概略図であり、正確な縮尺ではない。図面は、決して本発明を限定するものではない。より多くの利点が例を用いて説明される。
【図面の簡単な説明】
【００３７】
【図１】本発明によるグレージングパネルの一実施形態の側面図である。
【図２】本発明によるグレージングパネルの一実施形態の平面図である。
【発明を実施するための形態】
【００３８】
図１及び図２を参照すると、本発明の一実施形態によれば、グレージングパネル（１）は、導電性構造（３）を有するガラス基板（２）、はんだ材料（５）によって導電性構造（３）にはんだ付けされたシールド要素（７）；前記シールド要素に固定された電気圧着コネクタ（４）；電気圧着コネクタで圧着された電気ケーブル（６）を備える。シールド要素（７）は円形の形状を有し、はんだ材料とケーブルとの間のウィッキング効果を回避するために、少なくとも前記電気圧着コネクタからの前記ケーブルの出力の領域において前記電気圧着コネクタ（４）から突出する。
【００３９】
この実施形態では、導電性構造（３）はアンテナ構造である。アンテナはガラス基板の表面に印刷された銀の層である。隠しアンテナの場合、アンテナはグレージングパネル（１）の境界に印刷され、黒い帯で隠される。黒い帯は、グレージングパネルの他の表面上、又はガラス基板（２）と導電性構造（３）との間に堆積させることができる。黒い帯は、シルク印刷によって堆積されたエナメルフリットであることができる。
【００４０】
この実施形態では、電気圧着コネクタ（４）は、銅製のケーブルの金属部分を圧着するコネクタである。電気圧着コネクタ（４）は、直方体に少し似ており、銅などの導電性材料から作られる。電気圧着コネクタ（４）のガラス基板（２）の表面にわずかに平行な表面の対角線（Ｄ）が最大の寸法である。
【００４１】
この実施形態では、シールド要素（７）は、銅などの導電性材料から作られる。シールド要素（７）のガラス基板（２）の表面に平行な表面は、電気圧着コネクタ（４）の対角線（Ｄ）より大きい直径（Ｄｃ）の円形を有する。
【００４２】
その実施形態では、シールド要素（７）は、はんだ材料（５）とケーブル（６）との間のウィッキング効果を回避するために、電気圧着コネクタ（４）から全方向に、特に電気圧着コネクタ（４）からのケーブル（６）の出力の領域において突出する。
【００４３】
電気圧着コネクタ（４）は、高融点合金などのはんだ付けによってシールド要素に固定される。
【００４４】
導電性圧着の寸法はケーブルに、したがってケーブルを流れる電流に依存する。一実施形態では、低電流用途、すなわち８Ａ未満の場合、対角線Ｄは約５ｍｍであり、Ｄｃは少なくとも６ｍｍである。
【００４５】
シールド要素の寸法は、導電性圧着に依存する。一実施形態では、低電流用途、すなわち８Ａ未満の場合、対角線Ｄは約５ｍｍであり、Ｄｃは少なくとも６ｍｍである。
【００４６】
グレージングパネル（１）の製造及び取り扱い中に、オペレータはケーブル（６）を操作してグレージングパネル（１）の中心方向に折り曲げる。シールド要素により、はんだ材料はケーブル（６）と接触せず、したがってケーブル（６）を破損の危険なしに操作することができる。
【００４７】
別の実施形態では、ケーブル（６）は、シールド要素（７）に直接はんだ付けされる。第２のはんだ材料は、電気圧着コネクタと見なされる。シールド要素（７）は、ケーブル（６）のはんだ付けの面積よりも大きい。この実施形態では、他の実施形態と同様に、シールド要素（７）と導電性構造（３）との間のはんだ材料はウィッキング効果によりケーブル（６）に接触できず、したがってガラスの亀裂、欠け、又は破損のリスクが制限される。
【図１】
2021505465.tif 000003
【図２】
2021505465.tif 000004
【国際調査報告】
2021505465.tif 000005
2021505465.tif 000006
2021505465.tif 000007